(57)【要約】【課題】  シュレッダー装置のコンパクト化やコストの低減を図りつつ、複数の種類の記録媒体をそれぞれ媒体の種類に応じて確実にデータの読み取りが不可能となるように処理できるシュレッダー装置を提供する。【解決手段】  メディアを処理するメディア処理部１７に、メディアに対して塑性変形作用を加える塑性変形部３３と前記メディアを剪断する剪断部３４とを備え、塑性変形部３３はメディア処理部１７における軸方向略中央の位置に、また、剪断部３４はその両側の位置において塑性変形部３３に対し直列に配置した。【選択図】      図１１
2006263645.tif 000002
【特許請求の範囲】
【請求項１】
平行な第１、第２の回転軸を有して構成され、記録媒体を剪断する第１のカッター部と、記録媒体を塑性変形させる第２のカッター部とが前記回転軸上に直列に配設されてなることを特徴とするシュレッダー装置。
【請求項２】
前記第１のカッター部は、前記各回転軸上に複数の円盤状の刃が直列に設けられ、前記各刃は、互いに他方の回転軸に設けられた刃と噛合されてなると共に、片側の板面又は両側の板面が互いに他方の回転軸に設けられた刃と実質的に接してなることを特徴とする請求項１に記載のシュレッダー装置。
【請求項３】
前記第２のカッター部は、前記各回転軸上に１または複数の円盤状の刃が直列に設けられ、前記各刃は、互いに他方の回転軸に設けられた刃と噛合されてなると共に、両側の板面が互いに他方の回転軸に設けられた刃と離間していることを特徴とする請求項１又は２に記載のシュレッダー装置。
【請求項４】
前記第１のカッター部は回転軸方向の両端側に２個設けられ、前記第２のカッター部は回転軸方向の中央部分に設けられてなることを特徴とする請求項１ないし３のいずれかに記載のシュレッダー装置。
【請求項５】
前記第１のカッター部は回転軸方向の中央部分に設けられ、前記第２のカッター部は回転軸方向の両端側に２個設けられてなることを特徴とする請求項１ないし３のいずれかに記載のシュレッダー装置。
【請求項６】
前記第１のカッター部は回転軸方向の一方側に設けられ、前記第２のカッター部は回転軸方向の他方側に設けられてなることを特徴とする請求項１ないし３のいずれかに記載のシュレッダー装置。
【発明の詳細な説明】
【技術分野】
【０００１】
本発明は、複数の種類の記録媒体を再生不能な形態に処理するシュレッダー装置の技術分野に属する。
【背景技術】
【０００２】
従来、異なる種類の記録媒体が細断可能にされたシュレッダー装置が知られている（例えば、下記特許文献１参照）。この種のシュレッダー装置におけるカッター部の構成を図３５に示す。
【０００３】
図３５（ａ）に示すように、カッター部１００は、長尺形状を有する一対のカッター１０１，１０２が互いに噛合した状態で回転する構成を有しており、フロッピーディスク（ＦＤという）、カード及びＣＤをそれぞれ切断する切断部１０３，１０４，１０５が直列に配置された構成とされている。切断部１０３，１０４，１０５は、略平行な回転軸上に複数の切断刃が軸方向に一定の間隔を介して形成されているとともに、隣接する切断刃間に相手側の回転軸上に形成された切断刃が嵌り込んで噛合する構成を有し、処理対象物を噛み込んで細断を行う。そして、隣接する切断刃間に嵌入することにより、隣接する切断刃間の各間隙に挟まった細断屑を除去するセパレータ１０６が設けられている。
【０００４】
また、この切断刃１０３，１０４，１０５の配置に対応して、図３５（ｂ）に示すように、ＦＤを投入するための投入口１０７と、カードを投入するための投入口１０８と、ＣＤを投入するための投入口１０９とが直列に配置されている。
【特許文献１】実用新案登録第３０９６４４９号公報
【発明の開示】
【発明が解決しようとする課題】
【０００５】
シュレッダー装置は、設置場所が限定されることが多く、コンパクト化が要求されるが、前述のように、１台のシュレッダー装置に、処理対象物の種類ごとに専用の切断刃を設け、該切断刃によって対応する処理対象物の切断動作を行う構成の場合、切断刃の成型にコストを要するとともに該切断刃を多数成型する必要があるため、シュレッダー装置のコストアップや大型化を招来することとなる。また、前記各種のデータメディアなども細断することが好ましいものの、内部データが再生不能な状態に処理するだけでも充分であるとの着想から、メディアの剛性その他を考慮して内部データが再生（読み取り）不能な状態に処理するカッター部を設けることが考えられる。
【０００６】
本発明は、上記事情に鑑みてなされたもので、シュレッダー装置のコンパクト化やコストの低減を図りつつ、複数の種類の記録媒体をそれぞれ媒体の種類に応じて確実にデータの読み取りが不可能となるように処理できるシュレッダー装置を提供することを目的とする。
【課題を解決するための手段】
【０００７】
本発明は、異なる種類の記録媒体が処理可能なシュレッダー装置を構成する場合に、記録媒体の中には、細かく切断しなくても塑性変形させるだけでも、処理後の屑からデータの不正な読み取りを行うことを不可能とすることができる記録媒体があることに着眼してなされたものである。
【０００８】
請求項１に記載の発明は、平行な第１、第２の回転軸を有して構成され、記録媒体を剪断する第１のカッター部と、記録媒体を塑性変形させる第２のカッター部とが前記回転軸上に直列に配設されてなることを特徴とするシュレッダー装置である。
【０００９】
請求項２に記載の発明は、請求項１に記載のシュレッダー装置において、前記第１のカッター部は、前記各回転軸上に複数の円盤状の刃が直列に設けられ、前記各刃は、互いに他方の回転軸に設けられた刃と噛合されてなると共に、片側の板面又は両側の板面が互いに他方の回転軸に設けられた刃と実質的に接してなることを特徴とするものである。
【００１０】
請求項３に記載の発明は、請求項１又は２に記載のシュレッダー装置において、前記第２のカッター部は、前記各回転軸上に１または複数の円盤状の刃が直列に設けられ、前記各刃は、互いに他方の回転軸に設けられた刃と噛合されてなると共に、両側の板面が互いに他方の回転軸に設けられた刃と離間していることを特徴とするものである。
【００１１】
請求項４に記載の発明は、請求項１ないし３のいずれかに記載のシュレッダー装置において、前記第１のカッター部は回転軸方向の両端側に２個設けられ、前記第２のカッター部は回転軸方向の中央部分に設けられてなることを特徴とするものである。
【００１２】
請求項５に記載の発明は、請求項１ないし３のいずれかに記載のシュレッダー装置において、前記第１のカッター部は回転軸方向の中央部分に設けられ、前記第２のカッター部は回転軸方向の両端側に２個設けられてなることを特徴とするものである。
【００１３】
請求項６に記載の発明は、請求項１ないし３のいずれかに記載のシュレッダー装置において、前記第１のカッター部は回転軸方向の一方側に設けられ、前記第２のカッター部は回転軸方向の他方側に設けられてなることを特徴とするものである。
【発明の効果】
【００１４】
請求項１に記載の発明によれば、記録媒体を剪断する第１のカッター部と、記録媒体を塑性変形させる第２のカッター部とを平行な第１、第２の回転軸上に直列に配設したので、処理後の屑からデータの不正な読み出しを確実に防止しつつ、記録媒体を切断のみで処理する構成に比して刃数を低減することができ、シュレッダー装置のコンパクト化やコストの低減を図ることができる。
【００１５】
その際、前記第１のカッター部を、前記各回転軸上に複数の円盤状の刃を直列に設けて、前記各刃を、互いに他方の回転軸に設けられた刃と噛合されてなると共に、片側の板面又は両側の板面が互いに他方の回転軸に設けられた刃と接してなるように構成する（請求項２）と、記録媒体を剪断する構造を実現することができる。なお、剪断刃を、片側の板面において相手側の刃と接する構成とすると、セパレータが不要となり、構成の簡素化が図れる。
【００１６】
また、前記第２のカッター部を、前記各回転軸上に複数の円盤状の刃を直列に設けて、前記各刃を、互いに他方の回転軸に設けられた刃と噛合されてなると共に、両側の板面が互いに他方の回転軸に設けられた刃と離間するように構成する（請求項３）と、記録媒体を塑性変形させる構造を実現することができる。なお、各刃が互いに他方の回転軸に設けられた刃と噛合するとは、前記第２のカッター部を構成する刃の直径を、第１の回転軸と第２の回転軸との距離（第１の回転軸及び第２の回転軸の両方に直交する線と該両回転軸との交点間の距離）より大きく設定されている状態をいう。
【００１７】
また、請求項４に記載の発明のように、前記第１のカッター部を回転軸方向の両端側に２個設けるとともに、前記第２のカッター部を回転軸方向の中央部分に設けたり、請求項５に記載の発明のように、前記第１のカッター部を回転軸方向の中央部分に設けるとともに、前記第２のカッター部を回転軸方向の両端側に２個設けたり、あるいは請求項６に記載の発明のように、記第１のカッター部を回転軸方向の一方側に設けるとともに、前記第２のカッター部を回転軸方向の他方側に設けたりすることで、記録媒体の種類に応じた処理を行うことができる。
【発明を実施するための最良の形態】
【００１８】
以下、本発明に係るシュレッダー装置の実施形態を図面に基づいて説明する。図１は、シュレッダー装置の第１の実施形態の外観斜視図である。以下の説明においては、図１の矢印Ａに示す方向を前後方向、矢印Ｂに示す方向を左右方向というものとする。
【００１９】
シュレッダー装置１は、紙等の紙葉類と、フロッピーディスク（以下、ＦＤという  登録商標）、コンパクトディスク（以下、ＣＤという）、ＤＶＤ（Digital Versateile Disc）、光磁気ディスク（以下、ＭＯという）、磁気ディスク（以下、ＺＩＰという）、ＤＤＳ（Digital Date Storage）等のディスク体及び例えば樹脂製のカード類（以下、紙葉類以外のものを総称してメディアという）とが処理可能な装置であり、後述するように、紙葉類とメディアとをそれぞれ専用の刃で処理（後述する剪断・塑性変形を含む変形処理）する。
【００２０】
図１に示すように、シュレッダー装置１は、上面を開閉蓋４として、また、前面を開閉扉５として構成された略直方体形状を有する筺体であり、上面に設けられた投入部２と、その投入部２の下方に配置された後述の処理部１５と、該処理部１５の下方に配置された屑箱収納部９とを有する。
【００２１】
開閉蓋４は、後方の部位が回動自在に軸支されており、前方の部位を上方に開放すると、処理部１５を含む装置内部が露出するように構成されている。開閉蓋４の上面には、シュレッダー装置１の電源のオン／オフを切り換える電源ボタン６と、処理対象物を投入するための投入部２と、処理動作中である旨を報知するための処理ランプ７と、屑箱収納部９に屑が満杯状態となったことや、処理能力以上の紙葉類やディスクが投入部２に投入された場合に、一旦装置内部に引き込んだ処理対象物を再度外部に排出することを報知するための停止／逆転ランプ８等とが備えられている。
【００２２】
屑箱収納部９には、紙葉類の屑を収納する屑箱３ａと、メディアの屑を収納する屑箱３ｂとが収納されており、一側方が回動自在に軸支された開閉扉５の他側方を開放すると、屑箱３ａ，３ｂが取り出し可能となる。屑箱３ａ，３ｂは、紙葉類及びメディアにそれぞれ設けられた専用の刃の位置に対応して設置される。
【００２３】
シュレッダー装置１は、処理対象物の種類に応じて設けられた後述する投入口（図２参照）に、対応する処理対象物が投入されると、該処理対象物を後述の処理部１５により処理するとともに、その処理動作により生じた屑を屑箱収納部９に排出し、紙葉類の屑を屑箱３ａに、メディアの屑を屑箱３ｂに収納する。
【００２４】
なお、図１では、処理部１５のうち紙葉類やメディアを処理するカッターを点線で概略的に示すとともに、紙葉類の屑を収納する屑箱３ａをシュレッダー装置１本体から引き出す一方、メディアの屑を収納する屑箱３ｂをシュレッダー装置１の本体内に収納した状態を示している。
【００２５】
図２は、投入部２の構成を示す平面図であり、図３は、図２のＱ−Ｑ線矢視図である。
【００２６】
これらの図に示すように、投入部２には、外方から処理部１５に向かって開口が細くなるように斜面が形成されたホッパ９が配置されており、このホッパ９の開口には、処理され得る紙葉類のうち最大の幅を有する紙葉類のその幅と、処理され得るメディアのうち最大の幅を有するメディアのその幅との関係に応じた左右方向の位置に仕切り板８０が設置されており、この仕切り板８０によりホッパ９の開口が仕切られている。
【００２７】
この仕切り板８０に対して左右方向における一方の領域においては、ホッパ９の斜面が外部に露出して、紙葉類を投入するためのスリット形状をなす紙葉類投入口１１が形成され、一方、左右方向における他方の領域においては、ホッパ９の斜面にメディア投入開閉蓋１０が設置されており、このメディア投入開閉蓋１０にメディア投入用のメディア投入口群１２が形成されている。
【００２８】
メディア投入開閉蓋１０は、ホッパ９を構成する一方の斜面に、該ホッパ９の開口を開放する開放姿勢（図３において点線で示す姿勢）と前記開口を閉塞する閉塞姿勢（図３において実線で示す姿勢）との間で螺番１３により回動自在に取り付けられている。
【００２９】
また、メディア投入開閉蓋１０には、処理するメディアの大きさに応じた複数の投入口１０ａ〜１０ｃが適所に形成されている。すなわち、メディアをその大きさ別に複数のグループに分類し、図２、図３に示すように、メディア投入開閉蓋１０には、ＣＤ、ＤＶＤ等が投入される投入口１０ａと、ＦＤ、ＭＯ、ＺＩＰ、ＤＤＳ等が投入される投入口１０ｂと、キャッシュカード等のカード類が投入される投入口１０ｃとが、前後方向における中央部よりやや手前側の位置からこの順に形成されており、これらの投入口１０ａ〜１０ｃは、それぞれスリット形状をなし、対応するメディアの大きさに応じてその大きさが設定されている。また、後述するように、本実施形態では、メディアを処理するメディア処理部１７（図６〜図８参照）には、異なる種類の刃が形成されていて、メディアの種類に応じて利用する刃が異なっており、各投入口１０ａ〜１０ｃは、当該投入口に投入されるメディアの処理に利用される刃の位置に対応する、左右方向（図２の矢印Ｂの方向）の位置に形成されている。
【００３０】
なお、前述のように同一の投入口であっても異なるメディアが投入され得るが、以下の説明においては、投入口１０ａに投入されるメディアはＣＤとし、この投入口１０ａをＣＤ投入口１０ａという。また、同様に、投入口１０ｂに投入されるメディアはＦＤとし、この投入口１０ｂをＦＤ投入口１０ｂといい、投入口１０ｃに投入されるメディアはカードとし、この投入口１０ｃをカード投入口１０ｃという。
【００３１】
本実施形態では、図３に示すように、各投入口１０ａ〜１０ｃに投入されたメディアが、左右方向（図２の矢印Ｂの方向）において処理部１５の適切な位置（該メディアの処理に利用する刃の位置）に導かれるように処理部１５へのメディアの移動をガイドするガイド部材１４がホッパ９内に設置されている。図４は、ガイド部材１４の構成を示す斜視図である。
【００３２】
図４に示すように、ガイド部材１４は、仕切り板８０（図２）とホッパ９の一壁面９ｃ（図２の右側壁面）との間隔と略同一の幅（矢印Ｙ方向の長さ）を有する台板１４ａの表裏面の適所に、その板面から略垂直に起立した板状の一対の規制部１４ｂと一対の規制部１４ｃとが形成されてなる部材であり、図４に示す矢印Ｙ方向と図２に示す矢印Ｂ方向とを対応させた状態で、仕切り板８０とホッパ９の一壁面９ｃ（図２の右側壁面）との間隙にはめ込まれ、規制部１４ｃの端部をホッパ９の斜面９ａに当接させた状態で取り付けられている。
【００３３】
第１規制部１４ｂは、左右方向におけるＦＤ投入口１０ｂの位置に対応して形成されており、ＦＤ投入口１０ｂから投入されたＦＤの幅方向の移動を規制するとともに、その端部１４ｄにおいて、ＣＤ投入口１０ａに投入されたＣＤの処理部１５への移動をガイドする。第２規制部１４ｃは、左右方向におけるカード投入口１０ｃの位置に対応して形成されており、カード投入口１０ｃから投入されたカードの幅方向の移動を規制する。なお、メディアの幅方向の長さは、ＦＤの方がカードよりも大きいため、第１規制部１４ｂ間の間隔の方が、第２規制部１４ｃ間の間隔より大きく形成されている。図５は、ガイド部材１４が図３に示すように設置された状態において、台板１４ａの表裏面のうち第１規制部１４ｂが形成された側の面からみた、各記録媒体のガイド部材１４によるガイド状態を示す図である。
【００３４】
図５に示すように、例えば、ＣＤがＣＤ投入口１０ａに投入されると、仕切り板８０とホッパ９の一壁面９ｃ（図２の右側壁面）とによってその幅方向の移動が規制されつつ、第１規制部１４ｂの端部１４ｄにより処理部１５に向かう移動がガイドされる。また、ＦＤがＦＤ投入口１０ｂに投入されると、第１規制部１４ｂにより幅方向の移動が規制されつつ、台板１４ａの一方の面１４ｅ（図４参照）により処理部１５に向かう移動がガイドされ、また、カードがカード投入口１０ｃに投入されると、第２規制部１４ｃにより幅方向の移動が規制されつつ、ホッパ９を構成する一方の斜面９ａにより処理部１５に向かう移動がガイドされる。これにより、各投入口１０ａ〜１０ｃに投入されたメディアは、メディア処理部１７のうち該メディアに対応する刃の位置に導かれる。
【００３５】
なお、図４に示すように、ガイド部材１４には、一対の第２規制部１４ｃ間の適所に切欠き部１４ｆが形成されているが、これについては後述する。
【００３６】
図６は、処理部１５を主とするシュレッダー装置１の内部構成を示す正面図、図７は、処理部１５の構成を示す平面図、図８は、図６の矢印Ｃの方向から見た側面図である。なお、図６の手前側及び図７の下側がシュレッダー装置１の前方に対応する。
【００３７】
図６〜図８に示すように、処理部１５は、紙葉類を処理する紙葉類処理部１６と、メディアを処理するメディア処理部１７とを有し、紙葉類処理部１６及びメディア処理部１７は、それぞれ、長尺形状を有する前後方向に配列された一対のカッター（以下、各処理部１６，１７において、奥方に位置するものを第１カッター１８，２０、手前に位置するものを第２カッター１９，２１という）が互いに噛合して構成されている。
【００３８】
第１カッター１８，２０及び第２カッター１９，２１は、シュレッダー装置１の幅方向（図６の矢印Ｂ方向）に所定の間隔で配置された第１〜第３支持板２２〜２４により支持されており、紙葉類処理部１６は、第１支持板２２と第２支持板２３との間の間隙に構成されている一方、メディア処理部１７は、第２支持板２３と第３支持板２４との間の間隙に構成されている。
【００３９】
また、紙葉類処理部１６の第１カッター１８とメディア処理部１７の第１カッター２０とは直列に連結されているとともに、紙葉類処理部１６の第２カッター１９とメディア処理部１７の第２カッター２１とは直列に連結されている。
【００４０】
すなわち、紙葉類処理部１６の第１、第２カッター１８，１９の一方端部（図６、図７の右端部）には、該端部から軸方向に突出する略円柱形状の突出部２５（図６）が形成されているとともに、この突出部２５の表面適所から径方向に出没可能に構成された突起２６が設けられている（第２カッター１９についてのみ図示）。一方、メディア処理部１７の第１、第２カッター２０，２１には、図９に示すように、前記突出部２５が嵌合する略円柱形状の凹部２７が形成されているとともに、この凹部２７を構成する壁面適所において径方向に延びる穴部２８が形成されている。図９は、図６のＳ−Ｓ線矢視断面図である。
【００４１】
そして、紙葉類処理部１６の第１カッター１８における突出部２５が、メディア処理部１７の第１カッター２０における凹部２７に嵌め込まれた上で、その第１カッター１８の突出部２５に形成された突起２６が、その凹部２７に形成された穴部２８に嵌め込まれることにより、紙葉類処理部１６の第１カッター１８とメディア処理部１７の第１カッター２０とが抜け止めされた状態で直列に連結されている。以下、この連結体を第１連結カッターユニット２９という。また、紙葉類処理部１６の第２カッター１９とメディア処理部１７の第２カッター２１とについても同様に直列に連結されている。以下、この連結体を第２連結カッターユニット３０という。
【００４２】
図１０は、紙葉類処理部１６の第１、第２カッター１８，１９の構成及び噛合状態を示す側断面図である。
【００４３】
図１０に示すように、紙葉類処理部１６の第１、第２カッター１８，１９は、それぞれ所定径の軸体に軸方向に切削加工等を施して一定の間隔で大径部３１ａ，３２ａを形成し、さらにこの大径部３１ａ，３２ａに対して周方向に一定間隔で谷部３１ｂ，３２ｂを穿設することで、軸方向に複数枚の刃を形成してなるものである。第１、第２カッター１８，１９は、大径部が相手側のカッターの大径部間に嵌り込んで噛み合うような位置関係を有して配置されている。
【００４４】
また、この第１、第２カッター１８，１９の刃は、互いに半ピッチだけ位相がずらされており、これにより、山部と谷部とが領域Ｌで軸方向に交互に配列されることで、紙葉類を効果的に処理するように構成されている。
【００４５】
図７に戻り、セパレータ４７は、第１、第２カッター１８，１９にそれぞれ形成された刃の互いに隣接する刃間の各間隙における周方向の所定位置に所定の部位が嵌入する構造を備えた部材であり、刃の各間隙に挟まった屑を前記所定位置で除去する。図６及び図８に示す支持軸４８は、セパレータ４７を固定するための部材であり、各セパレータ４７が取り付けられた支持軸４８は、第１〜第３支持板２２〜２４に固定されている。
【００４６】
図１１（ａ）は、図７に示すメディア処理部１７に形成された刃と該刃により処理される各メディアとの位置関係を示し、図１１（ｂ）は、メディア処理部１７に形成された第１〜第３塑性変形刃３５〜３７の構成を示す側面図である。
【００４７】
一方、メディア処理部１７は、図１１（ａ）に示すように、投入されたメディアに対して塑性変形作用を加える塑性変形部３３と前記メディアを剪断する剪断部３４とを有し、塑性変形部３３はメディア処理部１７における軸方向略中央の位置に、また、剪断部３４はその両側の位置において塑性変形部３３に対し直列に配置されている。
【００４８】
塑性変形部３３は、いずれも円盤状であって、第１カッター２０に形成された第１塑性変形刃３５と、第２カッター２１に形成された第２、第３塑性変形刃３６，３７とを有して構成されており、第２、第３塑性変形刃３６，３７は、第１塑性変形刃３５の軸方向両側で、軸方向に所定間隔だけ離間する位置に形成されている。
【００４９】
第１〜第３塑性変形刃３５〜３７は、比較的肉厚に形成されているとともに、メディアとの滑りを防止又は抑制するため、図１１（ｂ）に示すように、その周面は、周方向に小さな尖鋭状の山部と谷部とを交互に多数有する刃面とされている。また、第１塑性変形刃３５と第２、第３塑性変形刃３６，３７とは、第１、第２カッター２０，２１の並び方向においてオーバーラップ（噛合）するように、第１〜第３塑性変形刃３５〜３７の直径Ｒは、第１、第２カッター２０，２１の軸間寸法ｒより大きく形成されている。
【００５０】
これにより、塑性変形部３３に進入してきたメディアの略中央部を塑性変形させることができる。なお、第１〜第３塑性変形刃３５〜３７の周面には、前述のような刃面を形成しなくてもよく、単なる円盤状に形成してもメディアを塑性変形させることができる。また、第１〜第３塑性変形刃３５〜３７の直径Ｒの大きさや、該直径Ｒと第１、第２カッター２０，２１の軸間寸法ｒとの関係を適宜設定することで、前記塑性変形作用によりメディアを破壊することもできる。
【００５１】
剪断部３４は、第１、第２カッター２０，２１にそれぞれ複数組形成された比較的肉薄の一対の剪断刃３８，３９により構成されており、各組の剪断刃３８，３９は、第２カッター２１に形成された各剪断刃３８が、第１カッター２０に形成された各剪断刃３９から微小な間隙を介して（実質的に接して）軸方向外側（塑性変形部３３と反対側）に位置するように構成されている。剪断刃３８，３９の周面も、周方向に小さな尖鋭状の山部と谷部とを交互に多数有する刃面とされている。これにより、剪断部３４に進入してきたメディアの幅方向両側方の部位を剪断することができる。
【００５２】
また、各組の剪断刃３８，３９は、隣接する剪断刃３８，３９の組との間に所要の間隙を設けて形成したので、剪断後の屑はほぼ重力によって自然に屑箱３ｂに向けて落下し、隣接する剪断刃３８，３９の組との間に剪断後の屑が挟まることがほとんど無い。これにより、セパレータの設置が不要となる。
【００５３】
このように、メディア処理部１７は、塑性変形部３３により、投入されたメディアの幅方向略中央部に対して塑性変形作用を加えるとともに、剪断部３４により、幅方向両側方を剪断することにより、処理後のメディアからのデータの読取を確実に不可能に処理することができる。なお、剪断刃３８，３９は、ＦＤに設けられている金属部分Ｘを避けた位置に形成されており、該金属部分Ｘを剪断することによる剪断刃の破損や性能劣化を回避するようにしている。また、図１１に示すＣＤ、ＦＤに描いた点線は、第１〜第３塑性変形刃３５〜３７により大きな応力が加えられる部位を示し、２点鎖線は剪断刃３８，３９により剪断される部位を示している。
【００５４】
図６〜図８に戻り、第１連結カッターユニット２９及び第２連結カッターユニット３０は、それぞれ第１〜第３支持板２２〜２４に軸受け４０〜４２を介して回転可能に支持されている。すなわち、第１支持板２２は、紙葉類処理部１６における第１、第２カッター１８，１９の左端部を軸受け４０を介して回転自在に支持し、第２支持板２３は、紙葉類処理部１６における第１、第２カッター１８，１９の右端部を軸受け４１を介して回転自在に支持し、第３支持板２４は、メディア処理部１７における第１、第２カッター２０，２１の右端部を軸受け４２を介して回転自在に支持している。
【００５５】
第１、第２支持板２２，２３は、下端部が外側に屈曲されてなる取付支持部２２ａ，２３ａを有し、該取付支持部２２ａ，２３ａが本体フレーム１ａに取り付けられることで固定されている一方、第３支持板２４は、本体フレーム１ａに取り付けられていない。このようにすることで、支持構造の簡素化を図っている。
【００５６】
第１支持板２２の外面側には、第１連結カッターユニット２９及び第２連結カッターユニット３０を回転駆動する駆動源としての図略のモータユニットと、該モータユニットの駆動力を処理部１５に伝達する動力伝達機構４３（図７）とが備えられている。モータユニットは、モータと、該モータで発生した回転駆動力を所定の減速比で減速する減速機とを備える。
【００５７】
動力伝達機構４３は、減速機の出力を第１連結カッターユニット２９に伝達するものであり、減速機の出力軸と第１連結カッターユニット２９の一端部にそれぞれ取り付けられた一対のスプロケット（図７には一方のスプロケットのみ図示）４４Ａと、これらのスプロケット４４Ａに懸架されたチェーン４４Ｂとを備えて構成されている。
【００５８】
一方、第１連結カッターユニット２９の端部のうち、突出部２５が形成されていない側の端部（図７の左端部）は第１支持板２２を内側から外側に向けて貫通し、第１支持板２２から突出する部位の先端側に、前記一方のスプロケット４４Ａが取り付けられている。これにより、モータの駆動力が第１連結カッターユニット２９に動力伝達機構４３を介して伝達される。
【００５９】
また、第２連結カッターユニット３０についても、突出部２５が形成されていない側の端部が内側から外側に向けて第１支持板２２を貫通しており、第１、第２連結カッターユニット２９，３０のその貫通により第１支持板２２から外側に突出する部位には、それぞれ互いに噛合する同一歯数のギヤ４５，４６が取り付けられている。これにより、動力伝達機構４３を介して第１連結カッターユニット２９に伝達された駆動力が、第２連結カッターユニット３０にも伝達され、第１、第２連結カッターユニット２９，３０は、側方から見て、上方から互いの方向に回るように同一速度で回転する。
【００６０】
紙葉類処理部１６により処理され得る紙葉類の幅は、メディア処理部１７により処理され得るメディアの幅より大きいため、これに応じて、紙葉類処理部１６の第１、第２カッター１８，１９は、メディア処理部１７の第１、第２カッター２０，２１に比して軸方向に長く形成されている。
【００６１】
ここで、本実施形態では、紙葉類処理部１６とメディア処理部１７とを直列に配置する場合に、軸方向に長い方の紙葉類処理部１６を動力伝達機構４３と直接連結するとともに、連結された紙葉類処理部１６とメディア処理部１７とのうち、軸方向により長い紙葉類処理部１６の両側を、軸受け４０，４１を介して本体フレーム１ａで支持している。
【００６２】
これにより、第１連結カッターユニット２９及び第２連結カッターユニット３０の各重心位置が、軸方向において、第１支持板２２と第２支持板２３との間に位置することとなるため、第１連結カッターユニット２９及び第２連結カッターユニット３０に自重を主として発生する機械的ストレスの抑制を図ることができる。
【００６３】
ところで、図６〜図８においては、第１連結カッターユニット２９の軸心と第２連結カッターユニット３０の軸心とが同一水平面上に位置するように描いているが、実際には、図３に示すように、第１連結カッターユニット２９の軸心が第２連結カッターユニット３０の軸心よりやや上方となるように配置されている。
【００６４】
すなわち、図３に示すように、第１連結カッターユニット２９及び第２連結カッターユニット３０は、側方からみたとき、第１連結カッターユニット２９及び第２連結カッターユニット３０の各軸心位置（軸方向に同一位置に位置する各軸心位置）を結ぶ線分の中点（第１、第２連結カッターユニット２９，３０の噛合位置）を通り該線分に直交する平面Ｌが、垂線Ｍに対してやや投入口１０ａ〜１０ｃ側（前方側）に傾斜するように配置されている。
【００６５】
各投入口１０ａ〜１０ｃは、図３に示すように側方から見た場合における前記平面Ｌのメディア投入開閉蓋９との交点Ｏからずらして（交点Ｏより手前側の位置に）形成されているとともに、ガイド部材１４によりガイドされるメディアは、該メディアが第１連結カッターユニット２９及び第２連結カッターユニット３０に噛み込まれる前において、その上部が前記平面Ｌよりも前方側に傾斜する姿勢でガイドされるようになっている。
【００６６】
そして、いずれかの投入口に投入されたメディアが第１連結カッターユニット２９及び第２連結カッターユニット３０に噛み込まれると、この噛み込みにより該メディアが前記平面Ｌ側に向かって（図３に示す矢印Ｙの方向に）引き起こされ、前記平面Ｌに略沿う方向に（前記平面Ｌに略沿った姿勢で）第１連結カッターユニット２９及び第２連結カッターユニット３０に噛み込まれていく。
【００６７】
その場合に、メディア処理部１６の第１、第２カッター２０，２１に形成される剪断刃の組において、第１カッター２０より手前側に位置する第２カッター２１の剪断刃３８を、第１カッター２０の剪断刃３９より軸方向外側（塑性変形部３３と反対側）に位置するように構成しているので、図１１の矢印Ｚで示すように、処理途中のメディアのうち、刃が噛み込んでいない未処理の部位が手前側に湾曲する（左右端部が奥方に反る形で湾曲する）こととなる。
【００６８】
さらに、第１連結カッターユニット２９及び第２連結カッターユニット３０が、噛み詰まり等の対処のために逆回転駆動されたときには、処理中（噛み込み中）のメディアが、前記湾曲状態を略維持したまま前記垂線Ｍ側にさらに引き起こされ、この垂線Ｍに略沿う方向に（前記垂線Ｍに略沿った姿勢で）、あるいは前記垂線Ｍと前記平面Ｌとの間の所定の姿勢で排出される。
【００６９】
以上の構成により、メディアの処理中は、その未処理部分における幅方向の端部間の間隔が、当該メディアの幅方向の移動を規制する一対の規制部間の間隔より小さくなるから、メディアの処理中に第１、第２カッター２０，２１が逆回転された場合に、その未処理部分と前記規制部との間で摩擦が生じるのを回避又は抑制することができる。
【００７０】
また、第１、第２カッター２０，２１が逆回転された場合に、メディアが、垂線Ｍに略沿う方向に（前記垂線Ｍに略沿った姿勢で）又は前記垂線Ｍと前記平面Ｌとの間の所定の姿勢で排出されるようにしたから、該メディアが投入された投入口に向かって戻らない。よって、処理中のメディアが、ガイド部材１４やメディア投入開閉蓋１０の投入口１０ａ〜１０ｃを構成する縁部に強く当接し、これに起因してガイド部材１４やメディア投入開閉蓋１０が損傷するのを防止することができる。
【００７１】
なお、第１、第２カッター２０，２１の逆回転時におけるメディアの姿勢（排出角度）は、第１カッター２０に形成された第１塑性変形刃３５の径と、第２カッター２１に形成された第２、第３塑性変形刃３６，３７の径との関係や、各刃３５〜３７の軸方向における位置関係や数等に応じて変更することが出来ると考えられる。
【００７２】
図４に示すガイド部材１４に形成された切欠き部１４ｆは、カードがカード投入口１０ｃから投入された場合に、そのカードが、第１連結カッターユニット２９及び第２連結カッターユニット３０の噛み込みによる前記平面Ｌ側への引き起こしによって、ガイド部材１４に衝突しないように形成されたものである。
【００７３】
以上のように、メディア処理部１７を、メディアを塑性変形させる塑性変形部３３と該メディアを剪断する剪断部３４とを直列に配置して構成したので、処理後のメディアの屑からデータの読取を確実に不可能としつつ、メディアを剪断のみで処理する構成に比して、メディア処理部１７の第１、第２カッター２０，２１に形成する刃の数を低減し、第１、第２カッター２０，２１の長さを短尺化することができる。その結果、シュレッダー装置１のコンパクト化及びコストダウンを図ることができる。
【００７４】
また、紙葉類処理部１６の第１カッター１８とメディア処理部１７の第１カッター２０とを直列に配置するとともに、紙葉類処理部１６の第２カッター１９とメディア処理部１７の第２カッター２１とを直列に配置したから、紙葉類の剪断位置とメディアの剪断位置とが並列となるように、紙葉類処理部１６とメディア処理部１７とを個別に設ける構成に比して、軸受けの数を低減することができる。
【００７５】
すなわち、紙葉類処理部１６とメディア処理部１７とを個別に設ける構成においては、紙葉類処理部１６とメディア処理部１７とにそれぞれ少なくとも２つずつ軸受けが必要となるが、本実施形態では、図６に示すように、全部で３つの軸受けで済む。これにより、設ける軸受けの数が少ない分、シュレッダー装置１の軽量化やコストダウンを図ることができる。
【００７６】
さらに、紙葉類処理部１６の第１カッター１８とメディア処理部１７の第１カッター２０とを、また、紙葉類処理部１６の第２カッター１９とメディア処理部１７の第２カッター２１とを、それぞれ前述の嵌合構造により連結するようにしたから、同じ直列に配置する場合であっても、紙葉類処理部１６の第１、第２カッター部１８，１９における各端部及びメディア処理部１７の第１、第２カッター２０，２１における各端部をそれぞれ軸受けで支持する場合に比して、処理部１５の軸方向における長さを短縮することができる。その結果、シュレッダー装置１のコンパクト化を図ることができる。
【００７７】
また、各カッター１８〜２１を前述の嵌合構造によりそれぞれ連結し、第１連結カッターユニット２９及び第２連結カッターユニット３０を構成した上で、第１〜第３の支持板２２〜２４及び軸受け４０〜４２により、これらのカッターユニット１９，２０を各カッター１８〜２１の端部に相当する位置で支持する構造としたので、第１〜第３の支持板２２〜２４及び軸受け４０〜４２による支持間隔Ｌｐ，Ｌｍ（図６参照）を必要最小限にすることができる。
【００７８】
これにより、紙葉類又はメディアの処理時に生じ得る各カッター１８〜２１の撓みを最小限に抑制することができる。その結果、発生する歪み量を考慮して各カッター１８〜２１の径を設定する場合に、該歪み量が小さくなる分、各カッター１８〜２１の径を小さくすることができ、カッター１８〜２１、延いては処理部１５の軽量化を図ることができるとともに、前記歪みの発生による同時処理枚数の低減を防止又は抑制することができる。
【００７９】
また、軸方向に長い方の紙葉類処理部１６を動力伝達機構４３と直接連結するとともに、連結されたその紙葉類処理部１６の両側を、軸受け４０，４１及び第１、第２支持板２２，２３を介して本体フレーム１ａで支持するようにしたので、第１連結カッターユニット２９及び第２連結カッターユニット３０に自重を主として発生する機械的ストレスの抑制を図ることができる。
【００８０】
そして、軸方向に短い方のメディア処理部１７の端部を本体フレーム１ａで支持しないようにしたので、支持構造の簡素化を図ることができる。
【００８１】
また、紙葉類を処理するカッターとメディアを処理するカッターとを別体の部材としたので、処理対象物に応じてそれらの部材の材質や該部材の製造方法を適正化することができるとともに、カッターが破損した場合には、破損した側のカッターのみを交換すればよいため、メンテナンス性の良好なシュレッダー装置１を実現することができる。
【００８２】
また、ＣＤ投入口１０ａ、ＦＤ投入口１０ｂ及びカード投入口１０ｃを互いに並列に配置し、これらの投入口１０ａ〜１０ｃに投入されるメディアを同一のカッターで処理するようにしたので、メディアの種類毎に投入口を設け且つ各メディアを異なるカッターで処理する構成に比して、軸方向の長さを短縮化することができ、その結果、シュレッダー装置１の小型化を実現することができる。
【００８３】
また、投入口１０ａ〜１０ｃに投入されたメディアが第１連結カッターユニット２９及び第２連結カッターユニット３０に噛み込まれると、該メディアが前記平面Ｌ側に引き起こされるようにし、また、第１、第２カッター２０，２１が逆回転された場合に、メディアが、垂線Ｍに略沿う方向に（前記垂線Ｍに略沿った姿勢で）又は前記垂線Ｍと前記平面Ｌとの間の所定の姿勢で排出されるようにしたから、処理中のメディアが、ガイド部材１４やメディア投入開閉蓋１０の投入口１０ａ〜１０ｃを構成する縁部に強く当接し、これに起因してガイド部材１４やメディア投入開閉蓋１０が損傷するのを防止することができる。
【００８４】
また、メディア処理部１６の第１、第２カッター２０，２１に形成される剪断刃の組において、第１カッター２０より手前側に位置する第２カッター２１の剪断刃３８を、第１カッター２０の剪断刃３９より軸方向外側（塑性変形部３３と反対側）に位置するように構成したので、メディアの処理中に第１、第２カッター２０，２１が逆回転された場合に、その未処理部分と規制部との間で摩擦が生じるのを回避又は抑制することができる。
【００８５】
また、投入口２をシュレッダー装置１の上面に設け、紙葉類やメディアがその自重で処理部１５まで落下（斜面に沿って摺動落下）するようにしたので、投入口２の構造を簡素化することができる。すなわち、仮に、処理部１５における第１連結カッターユニット２９及び第２連結カッターユニット３０を上下に配置し、紙葉類やメディアをこれらのカッターユニット２９，３０に向けて側方から投入する構成にあっては、カッターユニット２９，３０の間に押し込む搬送部が別途必要となったり、あるいは作業者が手動で紙葉類やメディアをカッターユニット２９，３０の間に押し込まなければならないという作業が強いられたりするのに対して、本実施形態では、このような構成等を不要とすることができる。
【００８６】
また、メディア投入開閉蓋１０を開放可能に構成したので、メディア処理部１６に詰まったメディアを容易に除去することができる。そして、紙葉類の屑とメディアの屑とをそれぞれ個別に収容する屑箱３ａ，３ｂを備えたので、屑を分別しながら収納することができる。
【００８７】
なお、本発明は、前記実施形態に加えて、あるいは前記実施形態に代えて次の形態［１］〜［４］に説明する変形形態も採用可能である。
【００８８】
［１］前記第１の実施形態では、処理部１５の支持構造において、紙葉類処理部１６における第１、第２カッター１８，１９の両端を第１、第２支持板２２，２３及び軸受け４０，４１を介して支持し、メディア処理部１７における第１、第２カッター１８，１９の一方端部を第３支持板２４及び軸受け４２を介して支持するようにしたが、この形態に限らず、例えば次のように構成してもよい。
【００８９】
図１２は、処理部１５の内部構成の変形形態を示す正面図である。
【００９０】
例えば図１２に示すように、前記第１の実施形態において、メディア処理部１７と連結すべく紙葉類処理部１６における第１、第２カッター１８，１９の一端部に形成された突出部２５’を、メディア処理部１７における第１、第２カッター２０，２１の軸方向の長さより長くなるように延長し、この突出部２５’の表面適所から径方向に出没可能に構成された突起２６’を形成する。
【００９１】
一方、メディア処理部１７における第１、第２カッター２０，２１には、この延長された突出部２５’が貫通する貫通孔２７’を形成するとともに、この貫通孔２７’を構成する壁面適所において径方向に延びる図略の穴部を形成する。
【００９２】
そして、紙葉類処理部１６の第１、第２カッター１８，１９における突出部２５’が、メディア処理部１７の第１、第２カッター２０，２１における貫通孔２７’に嵌め込まれた上で、その第１、第２カッター１８，１９の突出部２５’に形成された突起２６’が、その貫通孔２７’に形成された前記穴部に嵌め込まれることにより、メディア処理部１７の第１、第２カッター２０，２１を紙葉類処理部１６の第１、第２カッター１８，１９に直列に連結させ、メディア処理部１７の第１、第２カッター２０，２１の他端部を支持板２４に貫通させる。
【００９３】
この場合、メディア処理部１７の第１、第２カッター２０，２１が、紙葉類処理部１６における第１、第２カッター１８，１９の突出部２５’によって水平方向に強固に支持され、第１、第２カッター２０，２１における連結側と反対側の端部に向かって生じる軸方向の撓みが、図６に示す構造に比して非常に小さくなるから、図６に示す構造において前記連結側と反対側の端部を支持する軸受け４２が不要となり、その分、図６に示す構造に比して更なるコストダウンを図ることができる。
【００９４】
図１３は、処理部１５の内部構成の他の変形形態を示す正面図である。
【００９５】
図１３に示すように、前述のような連結構造に代えて、紙葉類処理部１６の第１カッター１８とメディア処理部１７の第１カッター２０とを一体で構成するとともに、紙葉類処理部１６の第２カッター１９とメディア処理部１７の第２カッター２１とを一体で構成し、これらを各端部において第１、第３支持板２２，２４及び軸受け４０，４２により支持するようにしてもよい。
【００９６】
この場合、第１、第２連結カッターユニット２９，３０をそれぞれ両端部において支持するので、該第１、第２連結カッターユニット２９，３０を安定して支持することができる。また、図７に示す構造における軸受け４１が不要となる分、図７に示す構造に比して更なるコストダウンを図ることができる。さらに、図７や図１２に示す構成のように突出部２５，２５’や貫通孔２７，２７’等を形成しない分、また、カッターの連結組立作業が不要となる分、図７や図１２に示す構成に比して更なるコストダウンを図ることができる。
【００９７】
［２］前記第１の実施形態では、第１連結カッターユニット２９の軸心が第２連結カッターユニット３０の軸心よりやや上方となるように配置したが、第１連結カッターユニット２９及び第２連結カッターユニット３０の噛み込みにより、平面Ｌ側にメディアが引き起こしされるように構成すれば、第１連結カッターユニット２９の軸心と第２連結カッターユニット３０の軸心とが同一水平面上に位置するように配置してもよい。
【００９８】
［３］処理の対象とするメディアは、前述したもののうち１または複数であってもよく、その処理対象物に応じてメディア処理部１７を構成するとよい。また、このメディア処理部１７の構成に応じて、投入口やガイド部材を次のように構成するとよい。図１４〜図２０は、メディア処理部１７の変形形態及び該メディア処理部１７により処理される各メディアとメディア処理部１７に形成された刃の位置関係を示す図である。
【００９９】
図１４に示すメディア処理部１７は、主にＣＤ等とＦＤ等とを処理の対象とするものであり、軸方向に所定の間隔で形成された複数の塑性変形刃５１及び隣接する塑性変形刃５１間に形成された複数の剪断刃５２を有する第１カッター５０と、軸方向において該第１カッター５０の塑性変形刃５１間に軸方向に所定の間隔で形成された複数の塑性変形刃５３及び前記第１カッター５０の剪断刃５２に対して軸方向外側で噛み合うように形成された複数の剪断刃５４を有する第２カッター４９とを備えたものである。
【０１００】
このメディア処理部１７は、図１１に示すものに比して、塑性変形刃の数が多いため、小さいトルクでメディアを処理することができるとともに、同時に処理可能なメディアの枚数を増量させることができる。
【０１０１】
図１５に示すメディア処理部１７は、主にＦＤ等とカードとを処理の対象とするものであり、塑性変形刃及び剪断刃の軸方向における相対距離関係を保ったまま、矢印Ｇに示す部位の長さを短くすることで、図１１に示すものに比して軸方向における全体の長さを短尺化したものである。
【０１０２】
図１６に示すメディア処理部１７は、主にカードを処理の対象とするものであり、略中央部に形成された１つの塑性変形刃５６、及びその両側に形成された複数の剪断刃５７を有する第２カッター５５と、この第１カッター５５の各剪断刃５７に対して軸方向内側で噛み合うように形成された複数の剪断刃５８を有する第１カッター５４とを備えたものである。
【０１０３】
図１７に示すメディア処理部１７は、主にＣＤ等とカードとを処理の対象とするものであり、図１６に示すメディア処理部１７の第１カッター５４、第２カッター５５について、剪断刃５７，５８の刃数を減らし、且つ隣接する刃間の間隔をやや広げたものである。図１４〜図１７に示すメディア処理部１７においては、図１１に示すメディア処理部１７と同様、各組の剪断刃間の間隔が比較的広く設定されているため、セパレータが不要となる。
【０１０４】
図１８に示すメディア処理部１７は、主にＣＤ等とカードとを処理の対象とするものであり、略中央部に形成された複数の第１剪断刃５８、その剪断刃５８のうち両側方に位置する剪断刃５８の外側に形成された塑性変形刃５９及び該塑性変形刃５９の外側に形成された第２剪断刃６０を有する第２カッター５７と、該第２カッター５７の第１剪断刃５８に噛み合うように形成された複数の剪断刃６１、及びその剪断刃６１のうち両側方に位置する剪断刃６１の外側に形成され、前記第２カッター５７の第２剪断刃６０の内側で該剪断刃６０に噛み合う第２剪断刃６２を有する第１カッター５６とを備えたものである。
【０１０５】
この構成においては、ＣＤやカードをほとんど細かく剪断するため、これらのメディアの屑からのデータの不正な読出しを確実に防止することができる。
【０１０６】
図１９に示すメディア処理部１７は、図１８と同様、主にＣＤ等とカードとを処理の対象とするものであり、複数の剪断刃６５、及びその剪断刃６５のうち両側方に位置する剪断刃の外側に形成された塑性変形刃６６を有する第１カッター６３と、該第１カッター６３の剪断刃６５に噛み合うように形成された複数の剪断刃６７を有する第２カッター６４とを備えたものである。
【０１０７】
図２０に示すメディア処理部１７は、主にＣＤ等、ＦＤ等及びカードを処理の対象とするものであり、軸方向に所定間隔で形成された第１〜第３塑性変形刃７１〜７３、第１、第３塑性変形刃７１，７３の外側及び第２、第３塑性変形刃７２，７３間に形成された複数の剪断刃７４を有する第２カッター６９と、軸方向において該第２カッター６９の第１、第２塑性変形刃７１，７２間に形成された塑性変形刃７５及び第２カッター６９の各剪断刃７４の内側に噛み合うように形成された複数の剪断刃７６を有する第１カッター６８とを備えたものである。
【０１０８】
この構成においては、図２０の右寄りに位置する刃でカードを処理し、左寄りに位置する刃でＦＤ、ＭＯ、ＺＩＰを処理し、カッター全体でＣＤ，ＤＶＤを処理する。特に本実施形態では、カードのデータ記録部や番号表示部を細かく剪断し、カードからのデータの読取を確実に不可能なものとしている。
【０１０９】
このメディア処理部１７の構成に対応する投入口やガイド部材は例えば次のように構成するとよい。図２１は、メディア投入口の構成の変形形態を示す平面図、図２２は、投入口の側断面図、図２３は、後述する規制板７９が図２２に示すように設置された状態において、ホッパ９の斜面９ａに対向する位置からみた、各記録媒体の規制板７９等によるガイド状態を示す図である。
【０１１０】
図２１，図２２に示すように、メディア投入開閉蓋７７の前後方向略中央部に、ＣＤ等が投入されるＣＤ投入口７７ａが形成されているとともに、該ＣＤ投入口７７ａの奥側の位置に、ＦＤ等が投入されるＦＤ投入口７７ｂが一側方寄り（左寄り）に形成されており、また、投入口７７ａの手前側の位置に、カードが投入される投入口７７ｃが他側方寄り（右寄り）に形成されている。
【０１１１】
ＣＤ投入口７７ａは、第１カッター６８及び第２カッター６９の各軸心位置（軸方向に同一位置に位置する各軸心位置）を結ぶ線分の中点（第１カッター６８及び第２カッター６９の噛合位置）を通り該線分に直交する平面Ｌとメディア投入開閉蓋７７との交点Ｏより手前側の位置に形成されており、カード投入口７７ｃは、ＣＤ投入口７７ａよりさらに手前側の位置に形成されている。一方、ＦＤ投入口７７ｂは、垂線Ｍとメディア投入開閉蓋７７との交点Ｈより奥側の位置に形成されている。
【０１１２】
また、図２２、図２３に示すように、ホッパ９を構成する前後の斜面のうち、手前側の斜面９ａには、カード投入口７７ｃに投入されたカードの幅方向の移動を規制する規制板７９が該斜面９ａに起立状態で設けられており、奥側の斜面９ｂには、ＦＤ投入口７７ｂに投入されたＦＤ等の幅方向の移動を規制する規制板７８が設けられている。
【０１１３】
これにより、ＣＤ投入口７７ａに投入されたＣＤ等は、壁面９ｃと仕切り板８０とにより幅方向の移動が規制されつつ、規制板７９の端部により第１、第２カッター６８，６９の噛合位置への移動がガイドされ、第１カッター６８及び第２カッター６９の全ての刃７１〜７６により剪断又は塑性変形される。ＦＤ投入口７７ｂに投入されたＦＤ等は、仕切り板８０と規制板７８とにより幅方向の移動が規制されつつ、ホッパの斜面９ｂにより第１、第２カッター６８，６９の噛合位置への移動がガイドされ、図２０の左側に位置する剪断刃７４，７６及び塑性変形刃７１，７２，７５により剪断及び塑性変形される。カード投入口７７ｃに投入されたカードは、壁面９ｃと規制板７９とにより幅方向の移動が規制されつつ、ホッパの斜面９ａにより第１、第２カッター６８，６９の噛合位置への移動がガイドされ、図２０の右側に位置する剪断刃７４，７６及び塑性変形刃７３により剪断及び塑性変形される。
【０１１４】
また、各メディアが第１カッター６８及び第２カッター６９に噛み込まれる直前の姿勢が、前記平面Ｌに対して所定の角度を有するように設定されているので、第１の実施形態と同様に、メディアが第１カッター６８及び第２カッター６９に噛み込まれると、該メディアは前記平面Ｌに向かって引き起こされる。その場合に、本実施形態では、図４に示す切欠き部１４ｆの形成が不要となる。
【０１１５】
図２４〜図２６は、メディア処理部１７の変形形態及び該メディア処理部１７により処理される各メディアとメディア処理部１７に形成された刃の位置関係を示す図である。
【０１１６】
図２４に示すメディア処理部１７は、ＣＤ等、ＦＤ等及びカードを処理の対象とするものであり、図２０に示すメディア処理部１７に対し、カードを塑性変形させる塑性変形刃７３を設ける代わりに、剪断刃８０，８１を多数設けるとともに、第２カッター６９の一部の剪断刃８０（矢印Ｊで示す剪断刃８０）を厚肉化したものである。この構成においては、カードのデータ記録部からのデータの読取を確実に不可能なものとしつつ、図２０に示すメディア処理部１７に比してコストの抑制を図ることができるものである。
【０１１７】
図２５に示すメディア処理部１７は、図２４と同様、ＣＤ等、ＦＤ等及びカードを処理の対象とするものであり、図２４に示すメディア処理部１７において厚肉化した第２カッター６９における一部の剪断刃８０の厚みを他の剪断刃８０と略同等としたものである。
【０１１８】
図２６に示すメディア処理部１７は、図２４、図２５と同様、ＣＤ等、ＦＤ等及びカードを処理の対象とするものであり、図２５に示すメディア処理部１７に対して、カードを処理する刃と、ＦＤ等のメディアを処理する刃とを個別に設け、カードを処理する右側の部位を、カードが全ての領域で剪断されるように多数の剪断刃８０，８１を形成したものである。
【０１１９】
このメディア処理部１７の構成に対応する投入口やガイド部材は例えば次のように構成するとよい。図２７は、メディア投入口の構成の他の変形形態を示す平面図、図２８は、投入口の側断面図、図２９は、後述する規制板８３の構成を示す斜視図、図３０は、前記規制板８３が図２８に示すように設置された状態において、ホッパ９の斜面９ａに対向する位置からみた、各記録媒体の規制板８３等によるガイド状態を示す図である。
【０１２０】
図２７に示すように、本実施形態のメディア投入開閉蓋８２には、前後方向略中央部より手前側の位置に、ＣＤ等が投入されるＣＤ投入口８２ａが形成されている。また、ＦＤ等が投入されるＦＤ投入口８２ｂとカード類が投入される投入口８２ｃとが隣接して直列に配置され、且つＣＤ投入口８２ａの手前側の位置に形成されている。
【０１２１】
ＣＤ投入口８２ａは、図２８に示すように、第１カッター６８及び第２カッター６９の各軸心位置（軸方向に同一位置に位置する各軸心位置）を結ぶ線分の中点（第１カッター６８及び第２カッター６９の噛合位置）を通り該線分に直交する平面Ｌとメディア投入開閉蓋７７との交点より手前側の位置に形成されており、ＦＤ投入口７７ｂ及びカード投入口７７ｃは、前述のように、ＣＤ投入口７７ａよりさらに手前側の位置に形成されている。
【０１２２】
また、メディア投入開閉蓋８２の裏面には、ＣＤ投入口８２ａに投入されたＣＤ等の幅方向の移動を規制する規制板８２ｄが形成されているとともに、ホッパ９の一方の斜面９ａには、図２９に示すような規制板８３が該斜面９ａに対して起立状態で設置されている。
【０１２３】
規制板８２ｄは、メディア投入開閉蓋８２が閉塞されたときに、規制板８３の一方の面８３ａに当接するようになっており、仕切り板８０とでＣＤ等の幅方向の移動を規制する。前記規制板８３の一方の面８３ａは、前記平面Ｌに比して上部がより手前側に傾斜するように形成されている。
【０１２４】
規制板８３は、前記一方の面８３ａにより第１カッター６８及び第２カッター６９の噛合位置への移動をガイドするとともに、反対側の面８３ｂには、ＦＤ等及びカードの幅方向の比に応じた位置に、この面８３ｂから起立した規制部８３ｃが形成されている。また、規制板８３には、この引き起こしにより当該規制板８３にカードやＦＤ等が衝突するのを回避するための切欠き部８３ｄ，８３ｅが形成されている。
【０１２５】
これにより、図３０に示すように、投入口８２ａに投入されたＣＤ等は、仕切り板８０と規制板８２ｄとにより幅方向の移動が規制されつつ、規制板８３の一方の面８３ａにより第１カッター６８及び第２カッター６９の噛合位置への移動がガイドされ、第１カッター６８及び第２カッター６９の塑性変形刃７１，７２，７５及び剪断刃７４，７６と一部の剪断刃８０，８１とにより剪断又は塑性変形される。
【０１２６】
また、投入口８２ｂに投入されたＦＤ等は、ホッパ９を構成する壁面９ｃと規制板８３の規制部８３ｃにより幅方向の移動が規制されつつ、ホッパ９の斜面９ａにより第１カッター６８及び第２カッター６９の噛合位置への移動がガイドされ、図２６の左側及び中央側に位置する剪断刃７４，７６，８０，８１及び塑性変形刃７１，７２，７５により剪断及び塑性変形される。投入口８２ｃに投入されたカード類は、ホッパ９を構成する右側の壁面９ｃと規制板８３の規制部８３ｃにより幅方向の移動が規制されつつ、ホッパ９の斜面９ａにより第１カッター６８及び第２カッター６９の噛合位置への移動がガイドされ、図２６の右側に位置する剪断刃８０，８１により剪断及び塑性変形される。
【０１２７】
また、各メディアが第１カッター６８及び第２カッター６９に噛み込まれる直前の姿勢が、前記平面Ｌに対して所定の角度を有するように設定されているので、第１の実施形態と同様に、メディアが第１カッター６８及び第２カッター６９に噛み込まれると、該メディアは前記平面Ｌに向かって引き起こされる。処理対象物がＦＤ等またはカードの場合には、これらのメディアは、規制板８３に形成された切欠き部８３ｄ，８３ｅを介して引き起こされる。
【０１２８】
図３１は、メディア投入口の構成の他の変形形態を示す平面図、図３２は、投入口の側断面図、図３３は、後述する規制板８５〜８７が図３２に示すように設置された状態において、ホッパ９の斜面９ａに対向する位置からみた、各記録媒体の規制板８５〜８７等によるガイド状態を示す図、図３４は、ホッパ９の斜面９ａを図３３の上方からみた図である。
【０１２９】
図３１に示すように、ＣＤ投入口８４ａを、メディア投入開閉蓋８４の前後方向略中央部より手前側であって左右方向一方側（図３１の左寄り）に形成するとともに、ＦＤ投入口８４ｂとカード投入口８４ｃとを所定間隔を介して直列に配置した上で、ＣＤ投入口８４ａの手前側の位置に形成してもよい。
【０１３０】
図３２〜図３４に示すように、ホッパ９の一方の斜面９ａに、投入口８４ａ〜８４ｃの位置に対応して、該斜面９ａから起立した規制板８５〜８７が設置されている。斜面９ａからの高さは、規制板８５が最も高く、規制板８６、８７は略同一である。
【０１３１】
そして、ＣＤ投入口８４ａに投入されたＣＤ等は、仕切り板８０と規制板８５とにより幅方向の移動が規制されつつ、規制板８６，８７の上端縁部により第１カッター６８及び第２カッター６９の噛合位置への移動がガイドされる。また、ＦＤ投入口８４ｂに投入されたＦＤ等は、規制板８６，８７により幅方向の移動が規制されつつ、ホッパ９の斜面９ａにより第１カッター６８及び第２カッター６９の噛合位置への移動がガイドされ、カード投入口８４ｃに投入されたカードは、ホッパ９を構成する壁面９ｃと規制板８５とにより幅方向の移動が規制されつつ、ホッパ９の斜面９ａにより第１カッター６８及び第２カッター６９の噛合位置への移動がガイドされる。
【０１３２】
［４］紙葉類投入口１１やメディア投入口群１２をシュレッダー装置１の上面に設ける構成に限らず、これらをシュレッダー装置１の前面上部に設けるようにしてもよい。
【図面の簡単な説明】
【０１３３】
【図１】本発明に係るシュレッダー装置の第１の実施形態の外観斜視図である。
【図２】投入口の構成を示す平面図である。
【図３】図２のＱ−Ｑ線矢視図である。
【図４】ガイド部材の構成を示す斜視図である。
【図５】メディア投入口に投入されたメディアのガイドの態様を説明するための図である。
【図６】処理部を主とするシュレッダー装置の内部構成を示す正面図である。
【図７】処理部の構成を示す平面図である。
【図８】図６の矢印Ｃの方向から見た側面図である。
【図９】図６のＳ−Ｓ線矢視断面図である。
【図１０】紙葉類処理部の第１、第２カッターの構成及び噛合状態を示す側断面図である。
【図１１】メディア処理部の構成を示す図である。
【図１２】処理部の構成の変形形態を示す図である。
【図１３】処理部の構成の変形形態を示す図である。
【図１４】メディア処理部の構成の変形形態を示す図である。
【図１５】メディア処理部の構成の変形形態を示す図である。
【図１６】メディア処理部の構成の変形形態を示す図である。
【図１７】メディア処理部の構成の変形形態を示す図である。
【図１８】メディア処理部の構成の変形形態を示す図である。
【図１９】メディア処理部の構成の変形形態を示す図である。
【図２０】メディア処理部の構成の変形形態を示す図である。
【図２１】メディア投入口の構成の変形形態を示す図である。
【図２２】図２１に示すメディア投入口の側断面図である。
【図２３】図２１，図２２に示すメディア投入口に投入されたメディアのガイドの態様を説明するための図である。
【図２４】メディア処理部の構成の変形形態を示す図である。
【図２５】メディア処理部の構成の変形形態を示す図である。
【図２６】メディア処理部の構成の変形形態を示す図である。
【図２７】メディア投入口の構成の変形形態を示す図である。
【図２８】図２７に示すメディア投入口の側断面図である。
【図２９】図２７，図２８に示すメディア投入口に採用されるガイド部材の構成を示す図である。
【図３０】図２７，図２８に示すメディア投入口に投入されたメディアのガイドの態様を説明するための図である。
【図３１】メディア投入口の構成の変形形態を示す図である。
【図３２】図３１に示すメディア投入口の側断面図である。
【図３３】図３１，図３２に示すメディア投入口に投入されたメディアのガイドの態様を説明するための図である。
【図３４】図３３のＴ−Ｔ線矢視図である。
【図３５】従来のシュレッダー装置におけるカッター部の構成を示す図である。
【符号の説明】
【０１３４】
９    ホッパ
１１  紙葉類投入口
１０，７７，８２，８４  メディア投入開閉蓋
１２  メディア投入口群
１０ａ，７７ａ，８２ａ，８４ａ  ＣＤ投入口
１０ｂ，７７ｂ，８２ｂ，８４ｂ  ＦＤ投入口
１０ｃ，７７ｃ，８２ｃ，８４ｃ  カード投入口
１４，８３  ガイド部材
１４ｂ    規制部
１４ｃ    規制部
１４ｆ  切欠き部
１５    処理部
１６    紙葉類処理部
１７    メディア処理部
１８，２０，４９，５４，５６，６３，６８  第１カッター
１９，２１，５０，５５，５７，６４，６９  第２カッター
２２〜２４  第１〜第３支持板
２５，２５’    突出部
２７，２７’    凹部
２９    第１連結カッターユニット
３０    第２連結カッターユニット
３３    塑性変形部
３４    剪断部
３５〜３７，５１，５３，５６，５９，６６，７１〜７３，７５，    塑性変形刃
３８，３９，５２，５４，５７，５８，６０，６１，６２，６５，６７，７４，７６，８０，８１    剪断刃
４０〜４２  軸受け
７８    ガイド板
８０  仕切り板
８２ｄ  規制板
８３ｃ    規制部
８３ｄ，８３ｅ  切欠き部
８５〜８７  規制板
【図１】
2006263645.tif 000003
【図２】
2006263645.tif 000004
【図３】
2006263645.tif 000005
【図４】
2006263645.tif 000006
【図５】
2006263645.tif 000007
【図６】
2006263645.tif 000008
【図７】
2006263645.tif 000009
【図８】
2006263645.tif 000010
【図９】
2006263645.tif 000011
【図１０】
2006263645.tif 000012
【図１１】
2006263645.tif 000013
【図１２】
2006263645.tif 000014
【図１３】
2006263645.tif 000015
【図１４】
2006263645.tif 000016
【図１５】
2006263645.tif 000017
【図１６】
2006263645.tif 000018
【図１７】
2006263645.tif 000019
【図１８】
2006263645.tif 000020
【図１９】
2006263645.tif 000021
【図２０】
2006263645.tif 000022
【図２１】
2006263645.tif 000023
【図２２】
2006263645.tif 000024
【図２３】
2006263645.tif 000025
【図２４】
2006263645.tif 000026
【図２５】
2006263645.tif 000027
【図２６】
2006263645.tif 000028
【図２７】
2006263645.tif 000029
【図２８】
2006263645.tif 000030
【図２９】
2006263645.tif 000031
【図３０】
2006263645.tif 000032
【図３１】
2006263645.tif 000033
【図３２】
2006263645.tif 000034
【図３３】
2006263645.tif 000035
【図３４】
2006263645.tif 000036
【図３５】
2006263645.tif 000037